(57)【要約】【課題】  鍵盤蓋の開閉時における鍵盤蓋の開閉力を軽くして、安全に鍵盤蓋を開閉することができる鍵盤楽器の蓋開閉構造を提供する。【解決手段】  鍵盤蓋８を閉じた状態から開いて起立させる際に、鍵盤蓋８が閉じた状態から予め定められた角度に開くまでの間と、鍵盤蓋８が予め定められた角度に開いた状態から起立した状態に開くまでの間とにおいて、鍵盤蓋８の支点位置を第１支点１３と第２支点１４とに切り替えるように構成した。従って、鍵盤蓋８のモーメントを小さく抑えることができるので、鍵盤蓋８の開閉時における鍵盤蓋８の開閉力を軽くすることができ、これにより安全に鍵盤蓋８を開閉することができる。【選択図】        図５
2011186377.tif 000002
【特許請求の範囲】
【請求項１】
鍵盤部が設けられた楽器本体と、
前記鍵盤部を開閉可能に覆う鍵盤蓋と、
この鍵盤蓋に設けられて前記楽器本体内における前後方向のほぼ中間部に向けて延出されたアーム部材と、
このアーム部材に設けられて前記鍵盤蓋が閉じた状態から予め定められた角度に開くまでの間において前記アーム部材を回転可能に支持する第１支点と、
前記楽器本体の後部に設けられて前記鍵盤蓋が予め定められた前記角度に開いた状態から起立する状態に開くまでの間において前記鍵盤蓋を回転可能に支持して前記第１支点を上下方向に移動させるための第２支点と、
を備えていることを特徴とする鍵盤楽器の蓋開閉構造。
【請求項２】
前記鍵盤蓋の開閉動作に応じて前記第１支点を支持すると共に上下方向にガイドするガイド部を備えていることを特徴とする請求項１に記載の鍵盤楽器の蓋開閉構造。
【請求項３】
前記第２支点は、前記楽器本体の後部に設けられ、前記第１支点を中心に前記鍵盤蓋が回転する際にその回転軌跡に沿う円弧状の湾曲部の下端部に設けられており、
前記第１支点をガイドする前記ガイド部は、前記第２支点を中心として上下方向に向けて円弧状に形成されていることを特徴とする請求項１または請求項２に記載の鍵盤楽器の蓋開閉構造。
【請求項４】
前記第２支点は、前記楽器本体の後部に設けられ、前記鍵盤蓋を上下方向に向けてガイドする傾斜部であり、
前記第１支点をガイドする前記ガイド部は、前記鍵盤蓋が前記第２支点の前記傾斜部の上端部から前記傾斜部の下端部に亘って移動する際に前記第１支点を斜め上方に向けてガイドする傾斜ガイド部と、前記鍵盤蓋が前記第２支点の前記傾斜部の下端部を中心に回転して起立する際に前記鍵盤蓋を前記楽器本体の後部に引き寄せるように前記第１支点を円弧状にガイドする湾曲ガイド部とを有していることを特徴とする請求項１または請求項２に記載の鍵盤楽器の蓋開閉構造。
【請求項５】
前記第１支点を上方に向けて付勢するためのばね部材を更に備えていることを特徴とする請求項１〜請求項４のいずれかに記載の鍵盤楽器の蓋開閉構造。
【発明の詳細な説明】
【技術分野】
【０００１】
この発明は、電子ピアノや電子オルガンなどの鍵盤楽器の蓋開閉構造に関する。
【背景技術】
【０００２】
従来、電子ピアノなどの鍵盤楽器においては、特許文献１に記載されているように、楽器本体内に設けられた鍵盤部を覆うための鍵盤蓋を備え、この鍵盤蓋の後部における両側に、一対のアーム部材を鍵盤蓋の後方に延出させて設け、この一対のアーム部材を楽器本体内の両側に設けられた一対の取付軸に回転可能に取り付けることにより、この一対の取付軸を中心に鍵盤蓋を上下方向に回転させて開閉するように構成したものが知られている。
【先行技術文献】
【特許文献】
【０００３】
【特許文献１】特開平０５−３１３６５３号公報
【０００４】
このような鍵盤楽器の蓋開閉構造は、鍵盤蓋の後部と取付軸とを連結するアーム部材が２つに分割されて連結軸によって折れ曲がり可能に連結された構成であるから、鍵盤蓋を開閉する際に、アーム部材が連結軸を中心に折れ曲がりながら取付軸を中心に鍵盤蓋が上下方向に回転することにより、鍵盤蓋が開閉するように構成されている。
【発明の概要】
【発明が解決しようとする課題】
【０００５】
しかしながら、このような従来の鍵盤楽器における蓋開閉構造では、鍵盤蓋が開いて楽器本体の後部に起立した際に、アーム部材が連結軸を中心に折れ曲がることにより、鍵盤蓋の高さを低くして鍵盤蓋の重心位置を下げることができても、アーム部材が鍵盤蓋の後部に設けられ、このアーム部材を回転可能に支持する取付軸が楽器本体の後部に固定されているため、鍵盤蓋のモーメントが大きくなり、鍵盤蓋の開閉時における鍵盤蓋の開閉力が重くなるので、安全に鍵盤蓋を開閉することができないという問題がある。
【０００６】
すなわち、この従来の蓋開閉構造では、鍵盤蓋を支持する支持軸と鍵盤蓋の重心位置との水平方向における距離が長いため、鍵盤蓋のモーメントが大きくなる。このため、鍵盤蓋を開く際には、鍵盤蓋を持ち上げるための力が重くなり、逆に鍵盤蓋を閉じる際には、鍵盤蓋を支えるための力が重くなる。このため、鍵盤蓋の開閉時における鍵盤蓋の開閉力が重くなり、鍵盤蓋を安全に開閉することができない。
【０００７】
この発明が解決しようとする課題は、鍵盤蓋の開閉時における鍵盤蓋の開閉力を軽くして、安全に鍵盤蓋を開閉することができる鍵盤楽器の蓋開閉構造を提供することである。
【課題を解決するための手段】
【０００８】
この発明は、上記課題を解決するために、次のような構成要素を備えている。
請求項１に記載の発明は、鍵盤部が設けられた楽器本体と、前記鍵盤部を開閉可能に覆う鍵盤蓋と、この鍵盤蓋に設けられて前記楽器本体内における前後方向のほぼ中間部に向けて延出されたアーム部材と、このアーム部材に設けられて前記鍵盤蓋が閉じた状態から予め定められた角度に開くまでの間において前記アーム部材を回転可能に支持する第１支点と、前記楽器本体の後部に設けられて前記鍵盤蓋が予め定められた前記角度に開いた状態から起立する状態に開くまでの間において前記鍵盤蓋を回転可能に支持して前記第１支点を上下方向に移動させるための第２支点と、を備えていることを特徴とする鍵盤楽器の蓋開閉構造である。
【０００９】
請求項２に記載の発明は、前記鍵盤蓋の開閉動作に応じて前記第１支点を支持すると共に上下方向にガイドするガイド部を備えていることを特徴とする請求項１に記載の鍵盤楽器の蓋開閉構造である。
【００１０】
請求項３に記載の発明は、前記第２支点が、前記楽器本体の後部に設けられ、前記第１支点を中心に前記鍵盤蓋が回転する際にその回転軌跡に沿う円弧状の湾曲部の下端部に設けられており、前記第１支点をガイドする前記ガイド部は、前記第２支点を中心として上下方向に向けて円弧状に形成されていることを特徴とする請求項１または請求項２に記載の鍵盤楽器の蓋開閉構造である。
【００１１】
請求項４に記載の発明は、前記第２支点が、前記楽器本体の後部に設けられ、前記鍵盤蓋を上下方向に向けてガイドする傾斜部であり、前記第１支点をガイドする前記ガイド部は、前記鍵盤蓋が前記第２支点の前記傾斜部の上端部から前記傾斜部の下端部に亘って移動する際に前記第１支点を斜め上方に向けてガイドする傾斜ガイド部と、前記鍵盤蓋が前記第２支点の前記傾斜部の下端部を中心に回転して起立する際に前記鍵盤蓋を前記楽器本体の後部に引き寄せるように前記第１支点を円弧状にガイドする湾曲ガイド部とを有していることを特徴とする請求項１または請求項２に記載の鍵盤楽器の蓋開閉構造である。
【００１２】
請求項５に記載の発明は、前記第１支点を上方に向けて付勢するためのばね部材を更に備えていることを特徴とする請求項１〜請求項４のいずれかに記載の鍵盤楽器の蓋開閉構造である。
【発明の効果】
【００１３】
この発明によれば、鍵盤蓋を閉じて鍵盤部を覆った状態から鍵盤蓋を開いて起立させる際に、鍵盤蓋が閉じた状態から予め定められた角度に開くまでの間と、鍵盤蓋が予め定められた角度に開いた状態から起立する状態に開くまでの間とにおいて、鍵盤蓋の支点位置を第１支点と第２支点とに切り替えることができる。このため、鍵盤蓋のモーメントを小さく抑えることができるので、鍵盤蓋の開閉時における鍵盤蓋の開閉力を軽くすることができ、これにより鍵盤蓋を安全に開閉することができる。
【図面の簡単な説明】
【００１４】
【図１】この発明を適用した鍵盤楽器の実施形態１において鍵盤蓋を開いた状態を示した斜視図である。
【図２】図１の鍵盤楽器の要部を分解して示した拡大斜視図である。
【図３】図２のＡ−Ａ矢視において鍵盤蓋を閉じた状態を示した拡大断面図である。
【図４】図３の鍵盤楽器において鍵盤蓋を時計回りに回転させて少し開いた状態を示した拡大断面図である。
【図５】図４の鍵盤楽器において鍵盤蓋が予め定められた角度θに開いて、鍵盤蓋の支点位置を第１支点から第２支点に切り替わる状態を示した拡大断面図である。
【図６】図５の鍵盤楽器において鍵盤蓋が第２支点を中心に回転して楽器本体の後部に起立する状態を示した拡大断面図である。
【図７】この発明を適用した鍵盤楽器の実施形態２において要部を分解して示した拡大斜視図である。
【図８】図７のＢ−Ｂ矢視において鍵盤蓋を閉じた状態を示した拡大断面図である。
【図９】図８の鍵盤楽器において鍵盤蓋が第１支点の支持軸を中心に第１の角度θ１だけ回転して、鍵盤蓋の支点位置を第１支点から第２支点に切り替わり、この第２支点である傾斜部に沿って斜め後方に向けて移動する状態を示した拡大断面図である。
【図１０】図９の鍵盤楽器において鍵盤蓋が第２支点である傾斜部の下端部を中心に回転して開く状態を示した拡大断面図である。
【図１１】図１０の鍵盤楽器において鍵盤蓋の支点位置が第２支点である傾斜部の下端部から第１支点の支持軸に切り替わって鍵盤蓋が回転して起立する状態を示した拡大断面図である。
【図１２】図１１の鍵盤楽器において鍵盤蓋が第１支点の支持軸を中心に更に回転して楽器本体１の後方に傾斜して起立する状態を示した拡大断面図である。
【発明を実施するための形態】
【００１５】
（実施形態１）
以下、図１〜図６を参照して、この発明を適用した鍵盤楽器の実施形態１について説明する。
この鍵盤楽器は、図１〜図３に示すように、楽器本体１を備えている。この楽器本体１は、脚部を兼ねる一対の側板２と、この一対の側板２間に架け渡された棚板３と、この棚板３の前端部（図３では左端部）に起立して設けられた前板４と、棚板３の後端部（図３では右端部）に起立して設けられた後板５と、この後板５上に設けられた上板６とを備えている。
【００１６】
この場合、後板５は、図３に示すように、棚板３の後端部から斜め後方（図３では斜め右側）に向けて傾いた状態で、棚板３の後端部上に設けられている。上板６は、図１および図３に示すように、後板５の上端部から前側上方（図３では右側上方）に向けて緩やかに湾曲した湾曲部６ａと、この湾曲部６ａの前端部が前側に向けて水平に突出し、この突出した前端部が楽器本体１の後部において垂下された水平部６ｂとを有している。
【００１７】
これにより、楽器本体１は、上板６の前部側（図３では左側）が上方に開放された箱形状に形成されている。この楽器本体１の内部には、図１および図３に示すように、鍵盤部７が設けられている。この鍵盤部７は、白鍵７ａおよび黒鍵７ｂを備え、これら白鍵７ａおよび黒鍵７ｂが鍵盤シャーシ（図示せず）上に上下方向に回転可能に取り付けられた状態で多数配列された構成になっている。
【００１８】
また、この楽器本体１には、図１〜図６に示すように、鍵盤部７を開閉自在に覆う鍵盤蓋８が蓋開閉機構１０によって開閉可能に取り付けられている。この鍵盤蓋８は、図３に示すように、蓋開閉機構１０によって上下方向に回転することにより、楽器本体１の上部に配置されて閉じた際に鍵盤部７を覆い隠し、また図６に示すように、楽器本体１の後方（図６では右側）に少し傾いた状態で起立して開いた際に鍵盤部７を上方に露出させるように構成されている。
【００１９】
この鍵盤蓋８の蓋開閉機構１０は、図２〜図６に示すように、鍵盤蓋８の下面における両側に取り付けられた一対のアーム部材１２（図２〜図６では一方のみを示す）と、このアーム部材１２に設けられて鍵盤蓋８が閉じた状態から、図５に実線で示すように、予め定められた角度θ（例えば約６０度）に開くまでの間においてアーム部材１２を回転可能に支持する第１支点１３と、鍵盤蓋８が予め定められた角度θに開いた状態から、図６に示すように、起立した状態に開くまでの間において鍵盤蓋８を回転可能に支持して第１支点１３を上下方向に移動させるための第２支点１４と、を備えている。
【００２０】
アーム部材１２は、図２および図３に示すように、鍵盤蓋８の下面における両側に設けられて、楽器本体１の一対の側板２と鍵盤部７の両側との間に配置されている。このアーム部材１２は、図３に示すように、鍵盤蓋８を閉じて鍵盤部７を覆った状態で、鍵盤蓋８の後部から楽器本体１内の前側（図３では左側）に向けて斜め下側に延出されている。すなわち、このアーム部材１２は、図３に示すように、その下端部が楽器本体１内における前後方向のほぼ中間部の下側に位置することにより、閉じた状態の鍵盤蓋８の重心Ｇに対応する付近の下側に位置するように、鍵盤蓋８の後部から斜め下側に延出されている。
【００２１】
第１支点１３は、図２および図３に示すように、アーム部材１２の下部に設けられた支持軸１５を備えている。この支持軸１５は、楽器本体１の側板２の内面に設けられたガイド板１６に上下方向に向けて移動可能に支持されるように構成されている。すなわち、ガイド板１６は、図２に示すように、側板２の内面に設けられた凹部２ａ内に嵌め込まれている。このガイド板１６には、アーム部材１２に設けられた支持軸１５が回転可能な状態で支持されると共に、支持軸１５を上下方向に移動可能にガイドするガイド溝１７が設けられている。
【００２２】
これにより、第１支点１３は、図３〜図５に示すように、鍵盤蓋８が閉じて鍵盤部７を覆った状態から、図５に実線で示すように、予め定められた角度θ（例えば約６０度）に開くまでの間において、アーム部材１２の支持軸１５がガイド溝１７の下端部に位置して支持された状態で、鍵盤蓋８が支持軸１５を中心に上下方向に回転するように構成されている。この場合、上板６の湾曲部６ａは、その湾曲面がガイド溝１７の下端部に位置する支持軸１５を中心として鍵盤蓋８が回転移動する軌跡に沿う円弧面に形成されている。
【００２３】
第２支点１４は、図３〜図６に示すように、楽器本体１の上板６に設けられた湾曲部６ａの下端部に位置した部分であり、鍵盤蓋８が予め定められた角度θ（例えば約６０度）に開いた状態から楽器本体１の後方に起立する状態に開くまでの間において、鍵盤蓋８の下面が湾曲部６ａの下端部を中心に回転するように構成されている。すなわち、この第２支点１４は、鍵盤蓋８が湾曲部６ａの下端部を中心に回転する際に、第１支点１３の支持軸１５をガイド板１６のガイド溝１７に沿って上下方向に移動させるように構成されている。
【００２４】
この場合、第１支点１３のガイド溝１７は、図２〜図６に示すように、ガイド板１６にその上下方向に沿って緩やかに湾曲する円弧状に形成されている。すなわち、第１支点１３の支持軸１５は、鍵盤蓋８が第２支点１４である湾曲部６ａの下端部を中心に回転する際に、鍵盤蓋８の傾きに伴ってアーム部材１２が徐々に上下方向に傾くことにより、支持軸１５の移動軌跡が第２支点１４の湾曲部６ａの下端部を中心として上下方向に沿って緩やかな円弧を描くように構成されている。このため、第１支点１３のガイド溝１７は、支持軸１５の移動軌跡と同じ上下方向に沿って緩やかな円弧形状に形成される。
【００２５】
また、楽器本体１の側板２の内面には、図３〜図６に示すように、第１支点１３を上方に向けて付勢するためのばね部材１８が設けられている。このばね部材１８は、コイルばねであり、その一端部１８ａがアーム部材１２の支持軸１５に下側から弾接し、他端部１８ｂが側板２の内面に固定されている。これにより、ばね部材１８は、支持軸１５をガイド溝１７に沿って上方に向けて付勢するように構成されている。
【００２６】
次に、このような鍵盤楽器の鍵盤蓋８を開閉する場合について説明する。
まず、図３に示すように、鍵盤蓋８を閉じて鍵盤部７を覆った状態から、鍵盤蓋８を開く場合には、鍵盤蓋８の前端部（図３では左端部）を持ち上げる。すると、アーム部材１２の支持軸１５がガイド板１６のガイド溝１７の下端部に位置して支持されているので、このガイド溝１７の下端部に位置する支持軸１５を中心にアーム部材１２が時計回りに回転して鍵盤蓋８が図３に２点鎖線で示すように上方に回転する。
【００２７】
このときには、アーム部材１２は、鍵盤蓋８の後部から楽器本体１内の前側に向けて斜め下側に延びており、この延びた下部に設けられた支持軸１５が鍵盤蓋８の重心Ｇの下方に位置する付近に支持されているので、鍵盤蓋８のモーメントが小さく、鍵盤蓋８の重量に対して軽い力で持ち上げることができると共に、支持軸１５がばね部材１８によって押し上げられているので、これによっても鍵盤蓋８を軽い力で持ち上げることができる。
【００２８】
また、このときには、図３および図４に示すように、鍵盤蓋８が楽器本体１の後方に向けて移動しながら鍵盤蓋８の後部が下側に移動するので、これに伴って鍵盤蓋８の重心Ｇが楽器本体１の後方（図３では右側）に向けて移動しながら僅かに上方に移動するだけであるから、ほぼ同じ力で鍵盤蓋８を押し上げることができる。
【００２９】
この状態で、鍵盤蓋８が更に押し上げられて時計回りに回転する際には、図４に示すように、支持軸１５がガイド溝１７の下端部に位置して支持された状態で、鍵盤蓋８が上板６の湾曲部６ａに沿って、その上部から下部に向けて回転しながら移動する。このときには、鍵盤蓋８の重心Ｇが楽器本体１の後方（図４では右側）に向けて移動しながら下方に移動する。このため、鍵盤蓋８の重心Ｇが第１支点１３の支持軸１５よりも楽器本体１の後方に位置するので、鍵盤蓋８を更に軽い力で押し上げることができる。
【００３０】
そして、鍵盤蓋８が更に押し上げられて、図５に示すように、予めさめられた角度θ（例えば約６０度）に開くと、鍵盤蓋８の下面が第２支点１４である上板６の湾曲部６ａの下端部に到達する。これにより、鍵盤蓋８の支点が第１支点１３から第２支点１４に切り替わる。この状態で、鍵盤蓋８を更に押し上げて時計回りに回転すると、図５に２点鎖線で示すように、鍵盤蓋８が第２支点１４である湾曲部６ａの下端部を中心に時計回りに回転する。
【００３１】
このときには、図５に２点鎖線で示すように、鍵盤蓋８が時計回りに回転しながら楽器本体１の後方（図５では右側）に向けて起立するように移動する。このため、アーム部材１２は、鍵盤蓋８の傾きに伴って第２支点１４である湾曲部６ａの下端部を中心に徐々に時計回りに回転する。これにより、アーム部材１２の支持軸１５は、ばね部材１８のばね力によって押し上げられながら、ガイド板１６のガイド溝１７に沿って徐々に上方に移動すると共に、鍵盤蓋８を楽器本体１の後部に引き寄せる。
【００３２】
この後、図６に示すように、鍵盤蓋８が第２支点１４である湾曲部６ａの下端部を中心に時計回りに回転して起立し、鍵盤蓋８が楽器本体１の後板５の後面に当接して楽器本体１の後方に向けて傾いた状態で起立する。このときにも、鍵盤蓋８の傾きに伴ってアーム部材１２が第２支点１４である湾曲部６ａの下端部を中心に時計回りに回転するため、アーム部材１２の支持軸１５が、ばね部材１８のばね力によって押し上げられながら、ガイド板１６のガイド溝１７に沿って上方に移動してガイド溝１７の上端部に位置して支持される。
【００３３】
このように、鍵盤蓋８が第２支点１４である湾曲部６ａの下端部を中心に時計回りに回転して起立するときには、アーム部材１２の支持軸１５が、鍵盤蓋８を楽器本体１の後部に引き寄せるので、鍵盤蓋８を良好に起立させることができる。また、このときには、鍵盤蓋８の重心Ｇが楽器本体１の後方（図５では右側）に向けてほぼ水平に移動し、鍵盤蓋８がその自重で回転するので、鍵盤蓋８を更に軽い力で回転させることができる。
【００３４】
一方、図６に示すように、鍵盤蓋８を起立させて鍵盤部７を露出させた状態から、鍵盤蓋８を閉じる場合には、鍵盤蓋８の上端部を手前側（図６では左側）に引き寄せる。すると、鍵盤蓋８が第２支点１４である上板６の湾曲部６ａの下端部を中心に反時計回りに回転して、鍵盤蓋８が前側に傾く。このときには、図６に示すように、支持軸１５が、鍵盤蓋８を楽器本体１の後部に引き寄せながら、ばね部材１８のばね力に抗してガイド溝１７の上端部から下側に向けて移動する。
【００３５】
このため、鍵盤蓋８を反時計回りに回転させる際に、ばね部材１８のばね力が付与されているので、鍵盤蓋８を閉じるための力が重くなり、鍵盤蓋８が急激に回転するのを防ぐことができる。また、この場合には、支持軸１５が鍵盤蓋８を楽器本体１の後部に引き寄せているので、鍵盤蓋８が安定した状態で回転する。
【００３６】
そして、鍵盤蓋８が更に反時計回りに回転すると、図５に実線で示すように、鍵盤蓋８の傾きに伴ってアーム部材１２が第２支点１４を中心に徐々に反時計回りに回転するので、アーム部材１２の支持軸１５がばね部材１８のばね力に抗して押し下げられながら、ガイド板１６のガイド溝１７に沿って徐々に下方に移動してガイド溝１７の下端部に位置して支持される。これにより、鍵盤蓋８は、第２支点１４である上板６の湾曲部６ａの下端部を乗り越えるので、鍵盤蓋８の支点が、第２支点１４から第１支点１３に切り替わる。
【００３７】
この状態で、鍵盤蓋８を更に押し下げると、図４に実線で示すように、ガイド板１６のガイド溝１７の下端部に位置して支持された第１支点１３の支持軸１５を中心に、鍵盤蓋８が上板６の湾曲部６ａに沿って下部側から上部側に向けて移動する。このときには、アーム部材１２が第１支点１３の支持軸１５を中心に反時計回りに回転して徐々に起立するように傾きながら、鍵盤蓋８を反時計回りに回転させて楽器本体１の前側（図４では左側）に向けて移動させる。
【００３８】
このように、鍵盤蓋８が反時計回りに回転しながら楽器本体１の前方（図４では左側）に向けて移動するときには、鍵盤蓋８の重心Ｇが楽器本体１の前方（図４では左側）に向けて移動しながら徐々に上方に移動すると共に、鍵盤蓋８の重心Ｇが鍵盤蓋８を支持する第１支点１３である支持軸１５よりも楽器本体１の後方に位置するので、鍵盤蓋８のモーメントが大きくなり、鍵盤蓋８を閉じる力が重くなる。このため、鍵盤蓋８が急激に閉じる方向に回転することがない。
【００３９】
この後、鍵盤蓋８が更に反時計回りに回転すると、図３に示すように、鍵盤部７を覆って楽器本体１上に配置される。このときには、鍵盤蓋８の重心Ｇが楽器本体１の前方（図４では右側）に向けて移動しながら僅かに下側に移動するので、鍵盤蓋８がその自重で回転する。この場合には、アーム部材１２が鍵盤蓋８の後部から楽器本体１内の前側に向けて斜め下側に延びており、この延びた下部に設けられた支持軸１５が鍵盤蓋８の重心Ｇの下方に位置する付近に支持されているので、鍵盤蓋８のモーメントが小さくなり、鍵盤蓋８の重量に係わらず、鍵盤蓋８を軽く閉じることができる。
【００４０】
このように、この鍵盤楽器の蓋開閉構造によれば、楽器本体１に設けられた鍵盤部７を開閉可能に覆う鍵盤蓋８を上下方向に回転させて開閉する際に、鍵盤蓋８が閉じた状態から予め定められた角度θ（例えば約６０度）に開くまでの間と、鍵盤蓋８が予め定められた角度θに開いた状態から起立した状態に開くまでの間とで、蓋開閉機構１０によって鍵盤蓋８の支点位置を第１支点１３と第２支点１４とに切り替えることにより、鍵盤蓋８のモーメントを小さく抑えることができ、これによりダンパー装置を用いずに、鍵盤蓋８を軽い力で安全に開閉することができる。
【００４１】
すなわち、この蓋開閉構造では、鍵盤蓋８に設けられて楽器本体１内における前後方向のほぼ中間部に向けて延出されたアーム部材１２と、このアーム部材１２に設けられて鍵盤蓋８が閉じた状態から予め定められた角度θに開くまでの間においてアーム部材１２を回転可能に支持する第１支点１３と、楽器本体１の上部に設けられて鍵盤蓋８が予め定められた角度θに開いた状態から起立する状態に開くまでの間において鍵盤蓋８を回転可能に支持して第１支点１３を上下方向に移動させるための第２支点１４と、を備えているので、鍵盤蓋８を開閉操作する際に、鍵盤蓋８の支点位置を開閉動作に応じて第１支点１３と第２支点１４とのいずれかに確実に切り替えることができる。
【００４２】
この場合、鍵盤蓋８に設けられたアーム部材１２は、楽器本体１内における前後方向のほぼ中間部に対応する箇所の下側に向けて延出され、このアーム部材１２の下部に設けられた第１支点１３である支持軸１５によって、鍵盤蓋８が閉じた状態から予め定められた角度θに開く際に、アーム部材１２を支持する構成であるから、第１支点１３である支持軸１５によって鍵盤蓋８をその重心Ｇのほぼ下側に対応する位置で支持することができる。
【００４３】
このため、第１支点１３を中心に鍵盤蓋８を回転させる際に、鍵盤蓋８のモーメントを小さくすることができるので、鍵盤蓋８の開閉時における鍵盤蓋８の開閉力を小さくすることができ、これにより鍵盤蓋８を軽い力で安全に開閉することができる。また、第１支点１３は、これを中心に鍵盤蓋８を回転させて開く際に、鍵盤蓋８を後下がりに傾けながら回転させることができるので、鍵盤蓋８の重心Ｇの位置が上下方向に変動するのを小さく抑えることができ、これによりほぼ一定の力で鍵盤蓋８を開閉することができるので、第１支点１３によって安定した状態で鍵盤蓋８を開閉することができる。
【００４４】
また、第２支点１４は、楽器本体１における上板６の後側上部に設けられた湾曲部６ａの下端部に設けられ、鍵盤蓋８を回転可能に支持して予め定められた角度θに開いた状態から更に開いて起立させる際に、鍵盤蓋８の傾きに応じて第１支点１３を上下方向に向けて移動させる構成であるから、鍵盤蓋８を良好に開閉することができる。
【００４５】
すなわち、この第２支点１４は、楽器本体１の上板６に設けられた湾曲部６ａの下端部であり、この湾曲部６ａの下端部で鍵盤蓋８を回転可能に支持した状態で回転移動させて、第１支点１３を上下方向に向けて移動させるので、鍵盤蓋８の開閉時における鍵盤蓋８の開閉力を小さくすることができ、これにより軽い力で鍵盤蓋８を開閉することができる。また、鍵盤蓋８の重心Ｇの位置が上下方向に変動するのを小さく抑えることができるので、ほぼ一定の力で鍵盤蓋８を軽く開閉することができる。
【００４６】
また、この蓋開閉構造では、ガイド板１６に、鍵盤蓋８の開閉動作に応じて第１支点１３を上下方向にガイドするガイド溝１７が設けられていることにより、第２支点１４によって鍵盤蓋８を回転可能に支持した状態で、鍵盤蓋８が予め定められた角度θに開いた状態から起立する際に、アーム部材１２が回転しても、第１支点１３の支持軸１５を上下方向にガイドすることができ、これによりアーム部材１２の回転移動を安定させることができるので、円滑に且つ良好に鍵盤蓋８を開閉動作させることができる。
【００４７】
すなわち、このガイド溝１７は、湾曲部６ａの下端部に位置する第２支点１４を中心として支持軸１５が上下方向に移動する緩やかな円弧を描く移動軌跡と同じ円弧形状に形成されているので、鍵盤蓋８が開閉する際に、アーム部材１２の支持軸１５を円滑に且つ良好にガイドすることができると共に、鍵盤蓋８を楽器本体１の後部に引き寄せることができ、これによりアーム部材１２の回転動作を安定させることができると共に、鍵盤蓋８を安定した状態で円滑に開閉動作させることができる。
【００４８】
さらに、この蓋開閉構造では、第１支点１３を上方に向けて付勢するためのばね部材１８を備えているので、鍵盤蓋８を開く際には軽い力で開くことができ、また鍵盤蓋８を閉じる際には閉じる力を重くすることができ、これによっても安全に鍵盤蓋８を開閉することができると共に、鍵盤蓋８の開閉操作性を向上させることができる。
【００４９】
（実施形態２）
次に、図７〜図１２を参照して、この発明を適用した鍵盤楽器の実施形態２について説明する。なお、図１〜図６に示された実施形態１と同一部分には同一符号を付して説明する。
この鍵盤楽器は、図７および図８に示すように、蓋開閉機構２０の第２支点２１が実施形態１と異なり、これに伴ってガイド板１６のガイド溝２２が実施形態１と異なる形状に形成された構成であり、これ以外は実施形態１とほぼ同じ構成になっている。
【００５０】
すなわち、第２支点２１は、図７および図８に示すように、楽器本体１の後側上部に位置する上板６の後部に形成された傾斜部２３であり、図９に示すように、鍵盤蓋８が予め定められた第１の角度θ１（例えば約１０度）に開いた状態から、図１１に示すように、鍵盤蓋８が予め定められた第２の角度θ２（例えば約６０度）に開いて起立する状態までの間において、鍵盤蓋８の下面を第２支点２１である傾斜部２３によって支持するように構成されている。
【００５１】
また、この第２支点２１は、図９〜図１１に示すように、鍵盤蓋８の下面を傾斜部２３によって支持しながらガイドする際に、第１支点１３の支持軸１５をガイド板１６のガイド溝２２に沿って上下方向に移動させるように構成されている。この場合、ガイド溝２２は、図７〜図１２に示すように、ガイド板１６にその下部から斜め後側上部に向けて傾斜する傾斜ガイド部２２ａと、この傾斜ガイド部２２ａの上部から円弧状に湾曲する湾曲ガイド部２２ｂとを備えている。
【００５２】
このガイド溝２２の傾斜ガイド部２２ａは、図８に示すように、鍵盤蓋８が閉じた状態から予め定められた第１の角度θ１に開く際に、第１支点１３の支持軸１５を傾斜ガイド部２２ａの下端部に位置させた状態で、支持軸１５が上下方向に移動することなく、支持軸１５を回転可能に支持するように構成されている。
【００５３】
また、この傾斜ガイド部２２ａは、図９に示すように、鍵盤蓋８が第２支点２１である傾斜部２３の上端部２３ａに支持された状態で、鍵盤蓋８が予め定められた第１の角度θ１に開いた状態から、鍵盤蓋８の下面が第２支点２１である傾斜部２３と同じ傾斜角度（例えば約３０度）に開く際に、第１支点１３の支持軸１５を斜め上方に向けて移動させるように傾斜して形成されている。
【００５４】
また、この傾斜ガイド部２２ａは、図９に２点鎖線で示すように、鍵盤蓋８が第２支点２１である傾斜部２３の傾斜面と同じ傾斜角度（例えば、約３０度）に開いて、鍵盤蓋８の下面が傾斜部２３の傾斜面に沿って移動する際に、第１支点１３の支持軸１５を斜め上方に向けて移動させるように傾斜して形成されている。さらに、この傾斜ガイド部２２ａは、図１０に示すように、鍵盤蓋８が第２支点２１である傾斜部２３の下端部２３ｂに支持されて回転する際に、第１支点１３の支持軸１５を斜め上方に向けて移動させて湾曲ガイド２２ｂの下部に到達させるように形成されている。
【００５５】
一方、ガイド溝２２の湾曲ガイド部２２ｂは、図１０および図１１に示すように、鍵盤蓋８が第２支点２１である傾斜部２３の下端部２３ｂに支持された状態で更に回転して鍵盤蓋８が楽器本体１の後方に起立するように開く際に、鍵盤蓋８を楽器本体１の後部に引き寄せるように、第１支点１３の支持軸１５を上方に向けて湾曲移動させるように湾曲して形成されている。
【００５６】
また、この湾曲ガイド部２２ｂは、図１２に示すように、鍵盤蓋８が楽器本体１の後板５に当接して起立する際に、鍵盤蓋８を楽器本体１の後部に引き寄せるように、第１支点１３の支持軸１５を斜め上方に向けて湾曲移動させて湾曲ガイド部２２ｂの上端部に位置させ、この状態で支持軸１５を回転可能に支持するように形成されている。
【００５７】
この場合、楽器本体１の後板５は、実施形態１と異なり、棚板３の後端部にほぼ垂直に設けられている。また、この場合にも、楽器本体１の側板２の内面には、図８〜図１２に示すように、第１支点１３の支持軸１５を上方に向けて付勢するためのばね部材１８が設けられている。このばね部材１８も、コイルばねであり、その一端部１８ａがアーム部材１２の支持軸１５に下側から弾接し、他端部１８ｂが側板２の内面に固定されている。
【００５８】
これにより、この蓋開閉機構２０は、図８に示すように、鍵盤蓋８が閉じた状態から予め定められた第１の角度θ１に開く際に、第１支点１３の支持軸１５を中心に鍵盤蓋８が回転し、この鍵盤蓋８が予め定められた第１の角度θ１に開いた際に、鍵盤蓋８の支点位置が第１支点１３から第２支点２１に切り替わるように構成されている。
【００５９】
また、この蓋開閉機構２０は、図９に示すように、鍵盤蓋８が予め定められた第１の角度θ１に開いた状態から予め定められた第２の角度θ２に開く際に、第２支点２１を中心に鍵盤蓋８が回転移動し、この鍵盤蓋８が予め定められた第２の角度θ２に開いた際に、図１１に示すように、鍵盤蓋８の支点位置が第２支点２１から第１支点１３に切り替わり、鍵盤蓋８が予め定められた第２の角度θ２に開いた状態から更に回転して開く際に、図１２に示すように、第１支点１３を中心に鍵盤蓋８が回転して起立するように構成されている。
【００６０】
この場合、蓋開閉機構２０は、図９に示すように、鍵盤蓋８が第２支点２１である傾斜部２３の上端部２３ａに位置した状態から鍵盤蓋８が傾斜部２３と同じ角度（例えば約３０度）に開く際に、第２支点２１である傾斜部２３の上端部２３ａを中心に鍵盤蓋８が回転し、鍵盤蓋８が傾斜部２３と同じ傾斜角度に開いた際に、鍵盤蓋８の支点位置が第２支点２１である傾斜部２３の上端部２３ａから傾斜部２３の傾斜面に切り替わり、この傾斜部２３の傾斜面に沿って鍵盤蓋８が楽器本体１の後方に向けて移動するように構成されている。
【００６１】
また、この蓋開閉機構２０は、図１０に示すように、鍵盤蓋８が傾斜部２３と同じ傾斜角度に回転して開いた状態から予め定められた第２の角度θ２（例えば約６０度）に開いた際に、鍵盤蓋８の支点位置が第２支点２１である傾斜部２３の傾斜面から傾斜部２３の下端部２３ｂに切り替わり、この傾斜部２３の下端部２３ｂを中心に鍵盤蓋８が回転するように構成されている。
【００６２】
次に、このような鍵盤楽器の鍵盤蓋８を開閉する場合について説明する。
まず、図８に示すように、鍵盤蓋８を閉じて鍵盤部７を覆った状態から、鍵盤蓋８を開く場合には、鍵盤蓋８の前端部（図８では左端部）を持ち上げる。すると、アーム部材１２の支持軸１５がガイド板１６のガイド溝２２における傾斜ガイド部２２ａの下端部に位置して支持されているので、このガイド溝２２の傾斜ガイド部２２ａの下端部に位置する支持軸１５を中心にアーム部材１２が時計回りに回転して鍵盤蓋８が図８に示すように上方に回転する。
【００６３】
このときには、図８に示すように、アーム部材１２が鍵盤蓋８の後部から楽器本体１内の前側に向けて斜め下側に延びており、この延びた下部に設けられた支持軸１５が鍵盤蓋８の重心Ｇの下方に位置する付近に支持されているので、鍵盤蓋８のモーメントが小さく、鍵盤蓋８の重量に対して軽い力で持ち上げることができると共に、支持軸１５がばね部材１８によって押し上げられているので、これによっても鍵盤蓋８を軽い力で持ち上げることができる。
【００６４】
この場合には、鍵盤蓋８が楽器本体１の後方に向けて移動しながら時計回りに回転するので、これに伴って鍵盤蓋８の重心Ｇが楽器本体１の後方（図８では右側）に向けて移動しながら僅かに上方に移動するだけであるから、鍵盤蓋８の重心Ｇにおける上下方向への変動が小さく、このためほぼ同じ力で鍵盤蓋８を押し上げることができる。
【００６５】
そして、鍵盤蓋８が予め定められた第１の角度θ１（例えば約１０度）に開くと、図９に示すように、鍵盤蓋８の下面が第２支点２１である楽器本体１の上板６に設けられた傾斜部２３の上端部２３ａに当接して支持されるので、鍵盤蓋８の支点位置が第１支点１３から第２支点２１に切り替わる。この状態で、鍵盤蓋８を更に押し上げると、図９に示すように、鍵盤蓋８が第２支点２１である傾斜部２３の上端部２３ａによって支持された状態で、鍵盤蓋８が楽器本体１の後方に移動しながら時計回りに回転する。
【００６６】
このときには、鍵盤蓋８の傾きに伴ってアーム部材１２が楽器本体１の後方に移動しながら、傾斜部２３の上端部２３ａを中心に徐々に時計回りに回転することにより、図９に２点鎖線で示すように、アーム部材１２の支持軸１５がばね部材１８のばね力によって押し上げられながら、ガイド板１６のガイド溝２２における傾斜ガイド部２２ａに沿って徐々に斜め上方に向けて移動する。
【００６７】
この状態で、鍵盤蓋８が更に押し上げられると、図９に２点鎖線で示すように、鍵盤蓋８の下面が第２支点２１の傾斜部２３と同じ傾斜角度（例えば約３０度）になる。すると、鍵盤蓋８が、図９に２点鎖線で示すように、傾斜部２３の傾斜面に沿って後方に向けて移動する。このときには、鍵盤蓋８の後方への移動に伴ってアーム部材１２が楽器本体１の後方に向けて移動することにより、アーム部材１２の支持軸１５がばね部材１８のばね力によって押し上げられながら、ガイド板１６のガイド溝２２における傾斜ガイド部２２ａに沿って徐々に斜め上方に向けて移動する。
【００６８】
この後、鍵盤蓋８が更に押し上げられると、図１０に示すように、鍵盤蓋８が第２支点２１である傾斜部２３の下端部２３ｂに支持されることにより、鍵盤蓋８の支点位置が第２支点２１における傾斜部２３の傾斜面から傾斜部２３の下端部２３ｂに切り替わる。この状態で、鍵盤蓋８が第２支点２１における傾斜部２３の下端部２３ｂを中心に時計回りに回転する際には、鍵盤蓋８が斜め後側下部に向けて移動する。
【００６９】
このときにも、鍵盤蓋８の傾きに伴ってアーム部材１２が傾斜部２３の下端部２３ｂを中心に徐々に時計回りに回転することにより、アーム部材１２の支持軸１５がばね部材１８のばね力によって押し上げられながら、ガイド板１６のガイド溝２２における傾斜ガイド部２２ａに沿って徐々に斜め上方に向けて移動して、ガイド溝２２の湾曲ガイド部２２ｂの下部に到達する。また、このときには、図１０に示すように、鍵盤蓋８の重心Ｇが楽器本体１の後方（図１０では右側）に向けて斜め下側に移動するため、鍵盤蓋８の重心Ｇは徐々に下側に移動する。このため、鍵盤蓋８を押し上げる力が徐々に軽くなる。
【００７０】
そして、図１１に示すように、鍵盤蓋８が第２支点１４の傾斜部２３の下端部２３ｂを中心に更に時計回りに回転して、予め定められた第２の角度θ２（例えば約６０度）に開くと、鍵盤蓋８が更に後側下部に移動して、鍵盤蓋８が第２支点１４の傾斜部２３の下端部２３ｂから離れようとする。このときには、アーム部材１２の支持軸１５がばね部材１８のばね力によって押し上げられながら、支持軸１５がガイド溝２２の湾曲ガイド部２２ｂに沿って上方に移動するので、この支持軸１５によって鍵盤蓋８が楽器本体１の後板５に引き寄せられながら回転する。
【００７１】
この状態で、鍵盤蓋８が更に時計回りに回転すると、図１２に示すように、支持軸１５がガイド溝２２の湾曲ガイド部２２ｂにおける上端部に位置して支持されるので、鍵盤蓋８の支点位置が第２支点２１から再び第１支点１３に切り替わる。この状態では、支持軸１５を中心に鍵盤蓋８が楽器本体１の後板５に引き寄せられながら回転して楽器本体１の後方に向けて傾いた状態で起立する。このときには、図１２に示すように、鍵盤蓋８の重心Ｇが楽器本体１の後側下部（図１２では右側下部）に向けて移動する。このため、鍵盤蓋８はその自重によって回転するので、鍵盤蓋８を軽く回転させることができる。
【００７２】
一方、図１２に示すように、鍵盤蓋８を開いて起立させた状態から、鍵盤蓋８を閉じる場合には、鍵盤蓋８の上端部を手前側（図１２では左側）に引き寄せる。すると、ガイド溝２２の湾曲ガイド部２２ｂにおける上端部に位置して支持された第１支点１３であるアーム部材１２の支持軸１５を中心に、鍵盤蓋８が反時計回りに回転する。そして、図１１に示すように、鍵盤蓋８が第２支点２１である傾斜部２３の下端部２３ｂに当接すると、鍵盤蓋８の支点位置が第１支点１３から第２支点２１に切り替わる。
【００７３】
この状態で、第２支点２１である傾斜部２３の下端部２３ｂを中心に、鍵盤蓋８が反時計回りに回転して予め定められた第２の角度θ２に閉じる際には、図１１に示すように、鍵盤蓋８が前側に傾きながら徐々に上方に移動し、アーム部材１２の支持軸１５をばね部材１８のばね力に抗してガイド溝２２の湾曲ガイド部２２ｂに沿って下側に移動させる。このときには、鍵盤蓋８の重心Ｇが斜め前側上方に向けて移動するので、鍵盤蓋８を閉じる力が少し重くなり、鍵盤蓋８が急激に反時計回りに回転するのを防ぐことができる。
【００７４】
この後、図１０に示すように、鍵盤蓋８が第２支点２１である傾斜部２３の下端部２３ｂを中心に反時計回りに更に回転する際には、鍵盤蓋８が前側に傾きながら徐々に楽器本体１の前側に向けて移動する。このときには、支持軸１５がばね部材１８のばね力に抗してガイド溝２２の傾斜ガイド部２２ａに沿って斜め下側に向けて移動する。このため、鍵盤蓋８を回転させる力が重くなり、鍵盤蓋８が急激に反時計回りに回転するのを防ぐことができる。
【００７５】
そして、鍵盤蓋８が更に反時計回りに回転して、図９に２点鎖線で示すように、鍵盤蓋８の下面が第２支点２１である傾斜部２３と同じ傾斜角度（例えば約３０度）になると、鍵盤蓋８の支点位置が第２支点２１における傾斜部２３の下端部２３ｂから傾斜部２３の傾斜面に切り替わる。この状態で、鍵盤蓋８の前端部を引き上げると、支持軸１５がばね部材１８のばね力に抗してガイド溝２２の傾斜ガイド部２２ａに沿って斜め下側に向けて移動しながら、鍵盤蓋８が傾斜部２３の傾斜面に沿って楽器本体１の前側に向けて斜め上方に移動する。
【００７６】
この後、図９に２点鎖線で示す状態で、鍵盤蓋８が閉じる方向に移動すると、鍵盤蓋８の支点位置が第２支点２１における傾斜部２３の傾斜面から傾斜部２３の上端部２３ａに切り替わる。この状態で、鍵盤蓋８が傾斜部２３の上端部２３ａを中心に反時計回りに回転して予め定められた第１の角度θ１になると、図９に実線で示すように、支持軸１５がガイド溝２２の傾斜ガイド部２２ａの下端部に移動して支持される。
【００７７】
このときには、鍵盤蓋８の支点位置が第２支点２１から第１支点１３に切り替わり、この第１支点１３の支持軸１５を中心に鍵盤蓋８が反時計回りに回転し、図８に示すように、鍵盤部７を覆って楽器本体１上に配置される。このときには、鍵盤蓋８の回転中心となる第１支点１３の支持軸１５が鍵盤蓋８の重心Ｇの下側に対応する箇所に位置しているので、鍵盤蓋８のモーメントが小さくなり、鍵盤蓋８をその自重で回転する力が小さくなるので、鍵盤蓋８が軽く閉じる。
【００７８】
このように、この鍵盤楽器の蓋開閉構造においても、実施形態１と同様、鍵盤蓋８を閉じて鍵盤部７を覆った状態から鍵盤蓋８を開いて起立させる際に、鍵盤蓋８が閉じた状態から予め定められた第１の角度θ１に開くまでの間と、鍵盤蓋８が予め定められた第１の角度θ１に開いた状態から起立する状態に開くまでの間とにおいて、蓋開閉機構２０によって鍵盤蓋８の支点位置を第１支点１３と第２支点２１とに切り替えることにより、鍵盤蓋８の開閉時における鍵盤蓋８のモーメントを小さくすることができ、これにより鍵盤蓋８の開閉力を小さく抑えることができるので、ダンパー装置を用いずに、鍵盤蓋８を軽い力で安全に開閉することができる。
【００７９】
すなわち、この蓋開閉機構２０は、鍵盤蓋８に設けられて楽器本体１内における前後方向のほぼ中間部に向けて延出されたアーム部材１２と、このアーム部材１２に設けられて鍵盤蓋８が閉じた状態から予め定められた第１の角度θ１に開くまでの間においてアーム部材１２を回転可能に支持する第１支点１３と、楽器本体１の上部に設けられて鍵盤蓋８が予め定められた第１の角度θ１に開いた状態から起立する状態に開くまでの間において鍵盤蓋８を回転可能に支持して第１支点１３を上下方向に移動させるための第２支点２１と、を備えているので、実施形態１と同様、鍵盤蓋８を開閉操作する際に、その開閉動作に応じて鍵盤蓋８の支点位置を第１支点１３と第２支点２１とに確実に且つ良好に切り替えることができる。
【００８０】
この場合、鍵盤蓋８に設けられたアーム部材１２は、実施形態１と同様、楽器本体１内における前後方向のほぼ中間部に対応する箇所の下側に向けて延出され、このアーム部材１２の下部に設けられた第１支点１３の支持軸１５によって、鍵盤蓋８が閉じた状態から予め定められた第１の角度θ１に開く際に、アーム部材１２を回転可能に支持する構成であるから、第１支点１３によって鍵盤蓋８をその重心Ｇに対応する箇所の下側で支持することができる。
【００８１】
このため、第１支点１３を中心に鍵盤蓋８を回転させて開く際に、実施形態１と同様、鍵盤蓋８のモーメントを小さくすることができるので、鍵盤蓋８の開閉時における鍵盤蓋８の開閉力を小さくすることができ、これにより鍵盤蓋８を軽い力で安全に開閉することができる。また、第１支点１３は、これを中心に鍵盤蓋８を回転させて開く際に、鍵盤蓋８を後下がりに傾けながら回転させることができるので、鍵盤蓋８の重心Ｇの位置が上下方向に変動するのを小さく抑えることができ、これによりほぼ一定の力で鍵盤蓋８を開閉することができるので、第１支点１３によって安定した状態で鍵盤蓋８を開閉することができる。
【００８２】
また、この蓋開閉機構２０の第２支点２１は、楽器本体１の後側上部に位置する上板６に設けられた傾斜部２３であり、この傾斜部２３によって鍵盤蓋８が予め定められた第１の角度θ１に開いた状態から予め定められた第２の角度θ２に開いて起立する際に、鍵盤蓋８を回転可能に支持した状態で、第１支点１３を上下方向に移動させる構成であるから、実施形態１と同様、鍵盤蓋８を良好に開閉することができる。
【００８３】
すなわち、この第２支点２１は、楽器本体１の上板６に設けられた傾斜部２３であり、この傾斜部２３によって鍵盤蓋８を回転可能に支持した状態で回転移動させるので、鍵盤蓋８のモーメントを小さくすることができると共に、鍵盤蓋８の開閉時における鍵盤蓋８の開閉力を小さく抑えることができ、これにより鍵盤蓋８を軽い力で開閉することができる。また、鍵盤蓋８の重心Ｇの位置が上下方向に変動するのを小さく抑えることができるので、ほぼ一定の軽い力で鍵盤蓋８を良好に開閉することができる。
【００８４】
また、この蓋開閉構造では、ガイド板１６に、鍵盤蓋８の開閉動作に応じて第１支点１３を上下方向にガイドするガイド溝２２が設けられていることにより、第２支点２１によって鍵盤蓋８を回転可能に支持した状態で、鍵盤蓋８が予め定められた第１の角度θ１に開いた状態から起立する状態に開く際に、アーム部材１２が回転しても、第１支点１３の支持軸１５を上下方向にガイドすることができ、これによりアーム部材１２の回転移動を安定させることができるので、円滑に且つ良好に鍵盤蓋８を開閉動作させることができる。
【００８５】
この場合、ガイド溝２２は、支持軸１５を斜め上方に向けてガイドする傾斜ガイド部２２ａと、鍵盤蓋８を楽器本体１の後板５に引き寄せるように支持軸１５を円弧状にガイドする湾曲ガイド部２２ｂとを備えているので、鍵盤蓋８が閉じた状態から予め定められた第２の角度θ２に開くまでの間において、アーム部材１２の支持軸１５を傾斜ガイド部２２ａによって良好にガイドすることができるので、鍵盤蓋８を安定した状態で開閉動作させることができる。
【００８６】
また、このガイド溝２２は、鍵盤蓋８が第２支点２１の傾斜部２３の下端部２３ｂを中心に回転して鍵盤蓋８の支点位置が第２支点２１から第１支点１３に切り替わる際に、アーム部材１２の支持軸１５を湾曲ガイド部２１ｂによってガイドすることにより、鍵盤蓋８が楽器本体１の後板５から離れないように引き寄せながら、鍵盤蓋８を円滑に且つ良好に回転させて起立させることができる。
【００８７】
さらに、この蓋開閉構造においても、第１支点１３の支持軸１５を上方に向けて付勢するためのばね部材１８を備えているので、実施形態１と同様、鍵盤蓋８を開く際には軽い力で開くことができ、また鍵盤蓋８を閉じる際には閉じる力を重くすることができ、これによっても安全に鍵盤蓋８を開閉することができると共に、鍵盤蓋８の開閉操作性を向上させることができる。
【００８８】
なお、上述した実施形態１、２では、楽器本体１の側板２の内面にガイド板１６を設け、このガイド板１６にガイド溝１７、２２を設けた場合について述べたが、必ずしもガイド板１６を用いる必要はなく、側板２の内面に直接、ガイド溝１７、２２を設けた構成でも良い。
【符号の説明】
【００８９】
１  楽器本体
２  側板
３  棚板
４  前板
５  後板
６  上板
６ａ  湾曲部
７  鍵盤部
８  鍵盤蓋
１０、２０  蓋開閉装置
１２  アーム部材
１３  第１支点
１４、２１  第２支点
１５  支持軸
１６  ガイド板
１７、２２  ガイド溝
２２ａ  傾斜ガイド部
２２ｂ  湾曲ガイド部
２３  傾斜部
２３ａ  傾斜部の上端部
２３ｂ  傾斜部の下端部
【図１】
2011186377.tif 000003
【図２】
2011186377.tif 000004
【図３】
2011186377.tif 000005
【図４】
2011186377.tif 000006
【図５】
2011186377.tif 000007
【図６】
2011186377.tif 000008
【図７】
2011186377.tif 000009
【図８】
2011186377.tif 000010
【図９】
2011186377.tif 000011
【図１０】
2011186377.tif 000012
【図１１】
2011186377.tif 000013
【図１２】
2011186377.tif 000014